(57)【要約】【課題】構造が簡単で日没後や、日没後に災害、事故等が発生した際に自動的に蓄光材が発光し、かつ長時間の発光が可能な照明ポールを提供する。【解決手段】照明ポール３０は、屋外用照明灯具１１と、屋外用照明灯具１１を保持する支柱１２と、支柱１２の少なくとも一部１２Ａに塗布された蓄光材１３（図２も参照）とを備え、蓄光材１３の発光輝度が一定Ｌ３以下になったときに屋外用照明灯具１１が点灯するものである。【選択図】図５
2008226770.tif 000002
【特許請求の範囲】
【請求項１】
屋外用照明灯具と、
前記屋外用照明灯具を保持する支柱と、
前記支柱の少なくとも一部に塗布された蓄光材とを備え、
前記蓄光材の発光輝度が一定以下になったときに前記屋外用照明灯具が点灯することを特徴とする照明ポール。
【請求項２】
前記蓄光材が発光を開始したときの発光開始輝度から前記発光輝度が一定以下になるまでの発光時間を予測しておき、前記蓄光材が発光を開始してから前記発光時間が経過したときに前記屋外用照明灯具を点灯させる予測点灯方式と、
前記蓄光材をセンサにより監視し、前記発光輝度が一定以下になったときに前記屋外用照明灯具を点灯させる監視点灯方式とのうちの一方が用いられていることを特徴とする請求項１に記載の照明ポール。
【請求項３】
前記屋外用照明灯具の光源が２００ｎｍ〜４５０ｎｍの波長を有する蛍光灯または高輝度放電灯であるとともに、前記蓄光材の表面における鉛直面に対して２００ルクス以上の照度で照明可能であることを特徴とする請求項１に記載の照明ポール。
【請求項４】
前記蓄光材が複数回積層塗布されているとともに、最上層の前記蓄光材が保護層に覆われていることを特徴とする請求項１に記載した照明ポール。
【請求項５】
前記蓄光材の膜厚が１２０μｍ以上であるとともに、前記屋外用照明灯具から遠ざかるに従って膜厚が厚く塗布されていることを特徴とする請求項１に記載した照明ポール。
【請求項６】
前記蓄光材の塗布形状がシンボル形状であることを特徴とする請求項１に記載した照明ポール。
【請求項７】
前記蓄光材の表面に凹凸が形成されていることを特徴とする請求項１に記載した照明ポール。
【発明の詳細な説明】
【技術分野】
【０００１】
本発明は、屋外用照明灯具を支柱で保持する照明ポールに関する。
【背景技術】
【０００２】
街灯装置として、風力発電手段または太陽光発電手段により発生する電力を蓄電する蓄電手段と、蓄電手段に蓄電された電力を用いて発光する照明手段とを備え、照明手段の光源として発光ダイオードを用い、照明手段を支柱によって地上から所定高さに保持したものが知られている。
【０００３】
この街灯装置は、照明手段のケースが透光性材料で形成され、ケースの一端側に、発光ダイオードの照射光を入射する入射面が設けられるとともに、ケースの内周面にスリットが設けられている。
ケースの内周面にスリットを設けることで発光ダイオードの照射光を拡散させて明るさを確保することが可能である（特許文献１参照）。
【特許文献１】特開２００３−１００１１１号公報
【発明の開示】
【発明が解決しようとする課題】
【０００４】
しかし、特許文献１の街灯装置は、電力を蓄電する蓄電手段や、蓄電手段に蓄電された電力を用いて発光する照明手段を備える必要があり、街灯装置の構造が複雑になっていた。
このため、簡単な構造で、長時間の発光が可能な照明具の実用化が望まれていた。
【０００５】
本発明は、前述した要望を満たすためになされたものであり、その目的は、構造が簡単で日没後や、日没後に災害、事故等が発生した際に自動的に蓄光材が発光し、かつ長時間の発光が可能な照明ポールを提供することにある。
【課題を解決するための手段】
【０００６】
本発明の照明ポールは、屋外用照明灯具と、前記屋外用照明灯具を保持する支柱と、前記支柱の少なくとも一部に塗布された蓄光材とを備え、前記蓄光材の発光輝度が一定以下になったときに前記屋外用照明灯具が点灯することを特徴とする。
【０００７】
屋外用照明灯具を保持する支柱において、少なくとも一部に蓄光材を塗布した。よって、日中は太陽光を蓄光材に蓄積（以下、「蓄光」という）することが可能で、夜間は屋外用照明灯具の照明光を蓄光材に蓄光することが可能である。
このように、通常時に、太陽光や屋外用照明灯具の照明光を蓄光材に蓄光しておくことができるので、日没後、または、日没後に災害や事故等が発生した際に、蓄光材を自動的に発光させることができる。
【０００８】
さらに、一般に用いられている屋外用照明灯具を保持する支柱を利用して、支柱の少なくとも一部に蓄光材を塗布するだけの構成としたので、構造を簡単にでき、かつ、蓄光材の取り付け施工を簡単にできる。
【０００９】
加えて、蓄光材の発光輝度が一定以下になったときに屋外用照明灯具を点灯させることで、屋外用照明灯具の照射光を蓄光材に再度蓄光させることができる。
このように、蓄光材に照射光を再度蓄光させることで、蓄光材を所望の発光輝度に保った状態で、蓄光材を長時間にわたって発光させることができる。
【００１０】
また、本発明は、前記蓄光材が発光を開始したときの発光開始輝度から前記発光輝度が一定以下になるまでの発光時間を予測しておき、前記蓄光材が発光を開始してから前記発光時間が経過したときに前記屋外用照明灯具を点灯させる予測点灯方式と、前記蓄光材をセンサにより監視し、前記発光輝度が一定以下になったときに、前記屋外用照明灯具を点灯させる監視点灯方式とのうちの一方が用いられていることを特徴とする。
【００１１】
蓄光材の発光開始から発光輝度が一定以下になるまでの発光時間を予測し、予測した発光時間が経過したときに屋外用照明灯具を点灯させる予測点灯方式を採用することで、蓄光材の発光輝度が一定以下になったときに、屋外用照明灯具の照射光を蓄光材に再度蓄光させることができる。
このように、蓄光材に照射光を再度蓄光させることで、蓄光材を所望の発光輝度に保った状態で、蓄光材を長時間にわたって発光させることができる。
【００１２】
一方、蓄光材の発光輝度をセンサで監視し、発光輝度一定以下になったときに屋外用照明灯具を点灯させる監視点灯方式を採用することで、蓄光材の発光輝度が一定以下になったときに、屋外用照明灯具の照射光を蓄光材に再度蓄光させることができる。
このように、蓄光材に照射光を再度蓄光させることで、蓄光材を所望の発光輝度に保った状態で、蓄光材を長時間にわたって発光させることができる。
【００１３】
さらに、本発明は、前記屋外用照明灯具の光源が２００ｎｍ〜４５０ｎｍの波長を有する蛍光灯または高輝度放電灯であるとともに、前記蓄光材の表面における鉛直面に対して２００ルクス以上の照度（発光輝度）で照明可能であることを特徴とする。
【００１４】
蓄光材は、一例として、アルミン酸無機化合物が用いられる。アルミン酸無機化合物は、近紫外放射域＋αの領域の光を吸収する特性を有する。
そこで、屋外用照明灯具の光源を、近紫外放射域＋αの領域の光の波長２００ｎｍ〜４５０ｎｍとした。
これにより、屋外用照明灯具の照射光を蓄光材に良好に蓄光させることができる。
【００１５】
加えて、蓄光材の表面における鉛直面に対して２００ルクス以上の照度（発光輝度）で照明可能とすることで、所望の蓄光特性が得られる。
【００１６】
また、本発明は、前記蓄光材が複数回積層塗布されているとともに、最上層の前記蓄光材が保護層に覆われていることを特徴とする。
【００１７】
蓄光材を複数回積層塗布することで、蓄光材の塗膜を厚くして蓄光材に光を蓄光させる蓄光性能の向上を図ることができる。
さらに、蓄光材を保護層で覆うことで、保護層により蓄光材の経時劣化を防止できる。
【００１８】
さらに、本発明は、前記蓄光材の膜厚が１２０μｍ以上であるとともに、前記屋外用照明灯具から遠ざかるに従って膜厚が厚く塗布されていることを特徴とする。
【００１９】
蓄光材の膜厚を１２０μｍ以上にすることで、蓄光材に蓄光させる光量を十分に確保することが可能になり、蓄光材の発光時間を長く持続させることができる。
【００２０】
また、本発明は、蓄光材の塗布形状がシンボル形状であることを特徴とする。
【００２１】
蓄光材の塗布形状を矢印などのシンボル形状とすることで、蓄光材でメッセージを表示することを可能にできる。
【００２２】
７さらに、本発明は、前記蓄光材の表面に凹凸が形成されていることを特徴とする。
【００２３】
蓄光材の表面を凹凸に形成することで、ビラ等の重ね貼りを防止でき、さらに、表面積が増大して発光面積が拡大し、発光性能の向上が図れる。
【発明の効果】
【００２４】
本発明の照明ポールによれば、屋外用照明灯具を保持するに蓄光材を塗布することで、構造が簡単で日没後や、日没後に災害、事故等が発生した際に自動的に蓄光材を発光させることができるという効果を有する。
【００２５】
加えて、本発明の照明ポールによれば、蓄光材の発光輝度が一定以下になったときに屋外用照明灯具を点灯させることで、蓄光材を再度蓄光させて長時間にわたって発光させることができるという効果を有する。
【発明を実施するための最良の形態】
【００２６】
以下、本発明の実施の形態に係る照明ポールについて、図面を参照して説明する。
図１に示すように、第１実施形態の照明ポール１０は、屋外用照明灯具１１と、屋外用照明灯具１１を保持する支柱１２と、支柱１２の少なくとも一部１２Ａに塗布された蓄光材１３（図２も参照）とを備え、屋外用照明灯具１１が消灯したときと、外部からの受光量が一定以下になったときとに蓄光材１３が自動的に発光するものである。
なお、蓄光材１３を塗布する個所として屋外用照明灯具１１は除外される。
【００２７】
屋外用照明灯具１１は、光源が２００ｎｍ〜４５０ｎｍの波長を有する蛍光灯または高輝度放電灯であるとともに、蓄光材１３の表面１３Ａにおける鉛直面１３Ｂ（図３（Ｂ）参照）に対して２００ルクス以上の照度で照明可能である。
２００ｎｍ〜４５０ｎｍの波長は、近紫外放射域＋αの領域の光の波長である。
【００２８】
支柱１２は、屋外用照明灯具１１を支えるために、一般に用いられているポールである。
支柱１２は、路面１５から鉛直に設けられ、頂部１２Ｂに水平支持梁部１６が設けられ、水平支持梁部１６の両端部に支えバー１８がそれぞれ設けられている。
各支えバー１８に屋外用照明灯具１１がそれぞれ設けられている。
【００２９】
図３（Ａ）に示すように、支柱１２の表面１２Ｃに下塗層２２が下塗りされている。蓄光材１３は、下塗層２２の上に、一例としてアルミン酸無機化合物の層２４が複数回積層２４塗布されることでシンボル形状に形成されている。
具体的には、蓄光材１３のシンボル形状は、一例として、図２に示すように、塗布形状を「矢印」に形成されている。これにより、蓄光材１３のシンボル形状で避難の方向が示される。
【００３０】
蓄光材１３は、一例としてアルミン酸無機化合物の層２４が複数回積層２４塗布されることで、図３（Ａ）に示すように蓄光材１３の膜厚Ｔが１２０μｍ以上に形成されている。
アルミン酸無機化合物は、近紫外放射域＋αの領域の光を吸収する特性を有する。
よって、屋外用照明灯具１１の光源を、前述したように、近紫外放射域＋αの領域の光の波長２００ｎｍ〜４５０ｎｍとすることで、屋外用照明灯具１１の照射光を蓄光材１３に良好に蓄光させることができる。
【００３１】
加えて、屋外用照明灯具１１の照明光は、蓄光材１３の表面１３Ａにおける鉛直面１３Ｂ（図３（Ｂ）に対して２００ルクス以上の照度で照明可能に設定されている。
蓄光材１３の蓄光特性は、ＪＩＳにより定められた試験方法（ＪＩＳＺ８７１６）により評価される。この試験方法に供される試験照度は２００ルクスとなっている。
このため、蓄光材１３の表面１３Ａにおける鉛直面１３Ｂに対して２００ルクス以上の照度で照明することにより、蓄光材１３に所望の蓄光特性が得られる。
【００３２】
また、図３（Ａ）に示すように、蓄光材１３を複数回積層２４塗布することで、蓄光材１３の塗膜（膜厚）Ｔが１２０μｍ以上に形成されている。
蓄光材１３の塗膜（膜厚）Ｔを厚くすることで、蓄光材１３に光を蓄光させる蓄光性能の向上を図ることができる。
【００３３】
特に、蓄光材１３の膜厚を１２０μｍ以上にすることが好ましい。膜厚を１２０μｍ以上にすることで、蓄光材１３に蓄光させる光量を十分に確保することが可能になり、蓄光材１３の発光時間を長く持続させることができる。
【００３４】
ここで、図４のグラフに基づいて、屋外用照明灯具（光源）１１からの距離と蓄光材１３の膜厚Ｔとの関係を説明する。
図４において、グラフＧ１は屋外用照明灯具１１から蓄光材１３までの距離と、屋外用照明灯具１１から照射された照射光の照度（発光輝度）との関係を示すグラフである。
グラフＧ２は屋外用照明灯具１１から蓄光材１３までの距離と、蓄光材１３の膜厚Ｔとの関係を示すグラフである。
【００３５】
図４のグラフＧ１に示すように、屋外用照明灯具１１から遠ざかるに従って屋外用照明灯具１１の照射光は輝度（照度）が低下する。
そこで、図４のグラフＧ２に示すように、屋外用照明灯具１１から遠ざかるに従って蓄光材１３の膜厚Ｔが厚くなるように形成することにした。
例えば、屋外用照明灯具１１から蓄光材１３までの距離がＳ１と小さい場合、照度（輝度）はＬ１と高い。よって、蓄光材１３の膜厚ＴをＴ１と薄くすることが可能である。
【００３６】
一方、屋外用照明灯具１１から蓄光材１３までの距離がＳ２と大きい場合、照度（輝度）はＬ２と低い。よって、蓄光材１３の膜厚ＴをＴ２と厚くする必要がある。
このように、屋外用照明灯具１１からの距離に合わせて蓄光材１３の膜厚Ｔを調整することで、蓄光性能を良好に保つことができる。
【００３７】
さらに、図３（Ａ），（Ｂ）に示すように、蓄光材１３は、アルミン酸無機化合物の層２４の最上層２４が保護層２６に覆われている。最上層２４を保護層２６で覆うことで、保護層２６により蓄光材１３の経時劣化を防止できる。
【００３８】
加えて、図２（Ａ），（Ｂ）に示すように、蓄光材１３は、塗布形状が矢印などの避難の方向を示すシンボル形状に塗布されている。
蓄光材１３の塗布形状を矢印などの避難の方向を示すシンボル形状とすることで、蓄光材１３でメッセージを表示できる。
【００３９】
また、図３（Ｂ）に示すように、蓄光材１３は、表面１３Ａが凹凸状に形成されている。
蓄光材１３の表面１３Ａを凹凸に形成することで、ビラ等の重ね貼りを防止でき、さらに、表面１３Ａの表面積が増大して発光面積が拡大し、発光性能の向上が図れる。
【００４０】
さらに、蓄光材１３は、成人の眼高さ平均が１４９．２ｃｍであることから、図２（Ａ）に示すシンボルの高さＨの位置を支柱１２の立設面（すなわち、路面）１５から１．５ｍとした。
暗闇での人の視線が眼高よりやや低めを見る傾向があるため眼高あたりが有効である。
【００４１】
以上説明したように、照明ポール１０によれば、屋外用照明灯具１１を保持する支柱１２において、少なくとも一部１２Ａに蓄光材１３を塗布した。
よって、日中は太陽光を蓄光材に蓄光することが可能で、夜間は屋外用照明灯具１１の照明光を蓄光材１３に蓄光することが可能である。
【００４２】
すなわち、通常時に、太陽光や屋外用照明灯具１１の照明光を蓄光材１３に蓄光しておくことができる。
そして、屋外用照明灯具１１が消灯したときと、外部からの受光量が一定以下になったときとに蓄光材１３を自動的に発光させることができる。
【００４３】
このように、屋外用照明灯具１１が消灯したときや、外部からの受光量が一定以下になったときとに蓄光材１３を発光させることで、災害や事故等による停電時や、日没後に、蓄光材１３を自動的に発光させることができる。
【００４４】
加えて、一般に用いられている屋外用照明灯具１１を保持する支柱１２を利用して、支柱１２の少なくとも一部１２Ａに蓄光材１３を塗布するだけの構成としたので、構造を簡単にでき、かつ、蓄光材１３の取り付け施工を簡単にできる。
【００４５】
以下、第２〜第３の実施形態を図５〜図７に基づいて説明する。なお、第２〜第３の実施形態において、第１実施形態の照明ポール１０と同一類似部材については同じ符号を付して説明を省略する。
【００４６】
（第２実施形態）
図５に示す第２実施形態の照明ポール３０は、蓄光材１３の発光輝度が一定以下になったときに屋外用照明灯具（光源）１１が点灯するように構成されたもので、その他の構成は第１実施形態の照明ポール２５と同様である。
【００４７】
この照明ポール３０は、水平支持梁部１６にケース３１を備え、ケース３１に屋外用照明灯具１１を点灯する点灯装置３２を備え、点灯装置３２に接続したタイマー３３を備える。
屋外用照明灯具１１もケース３１に設けられている。
【００４８】
照明ポール３０は、蓄光材１３が発光を開始したときの発光開始輝度から発光輝度が一定以下になるまでの発光時間を予め予測し、予測した時間をタイマー３３にセットしておく。
そして、蓄光材１３が発光を開始してから発光時間が経過したときに、タイマー３３がオンになり、点灯装置３２が作動して屋外用照明灯具１１を点灯させる。
すなわち、照明ポール３０は予測点灯方式が採用されている。
【００４９】
図６に基づいて、照明ポール３０の蓄光材１３に再度蓄光する例を説明する。
図６において、グラフＧ３は蓄光材１３の照度（発光輝度）と時間との関係を示すグラフである。
グラフＧ４は屋外用照明灯具１１の点灯／消灯と時間との関係を示すグラフである。
【００５０】
照明ポール３０によれば、図６において、グラフ３に示すように、蓄光材１３の発光輝度が一定（一定値）Ｌ３以下になったときに、グラフ４に示すように、屋外用照明灯具１１が点灯して屋外用照明灯具１１の照射光を蓄光材１３に再度蓄光させることができる。
【００５１】
このように、蓄光材１３の発光輝度が一定（一定値）Ｌ３以下になったときに蓄光材１３に再度蓄光させることで、蓄光材１３を所望の発光輝度で長時間にわたって発光させることが可能になる。
【００５２】
さらに、もう一つのタイマー（図示せず）を用いることで、グラフ３に示すように、蓄光材１３に照射光を再度蓄光させたときに、グラフ４に示すように、もう一つのタイマーをオフにして屋外用照明灯具１１を消灯させることができる。
これにより、夜間における屋外用照明灯具１１の点灯時間を短くして、省電力化が図れる。
【００５３】
さらに、第２実施形態の照明ポール３０によれば、第１実施形態の照明ポール１０と同様の効果が得られる。
【００５４】
（第３実施形態）
図７に示す第３実施形態の照明ポール４０は、第２実施形態のタイマー３３に代えてセンサ４２を設けたもので、その他の構成は第２実施形態の照明ポール３０と同様である。
【００５５】
この照明ポール４０は、水平支持梁部１６にケース４１を備え、ケース４１に屋外用照明灯具（光源）１１を点灯する点灯装置４３を備え、点灯装置４３に接続したセンサ制御装置４４を備え、センサ制御装置４４に接続したセンサ４２を備える。
屋外用照明灯具１１もケース４１に設けられている。
【００５６】
照明ポール４０は、蓄光材１３をセンサ４２により監視し、発光輝度が一定（一定値）Ｌ３以下になったときにセンサ４２で検知する。
センサ４２の検知信号に基づいてセンサ制御装置４４がオンになり、点灯装置３２が作動して屋外用照明灯具１１を点灯させる。
すなわち、照明ポール３０は監視点灯方式が採用されている。
【００５７】
すなわち、照明ポール４０によれば、図６において、グラフ３に示すように、蓄光材１３の発光輝度が一定（一定値）Ｌ３以下になったときに、グラフ４に示すように、屋外用照明灯具１１が点灯して屋外用照明灯具１１の照射光を蓄光材１３に再度蓄光させることができる。
【００５８】
このように、蓄光材１３の発光輝度が一定（一定値）Ｌ３以下になったときに蓄光材１３に再度蓄光させることで、蓄光材１３を所望の発光輝度で長時間にわたって発光させることが可能になる。
【００５９】
さらに、もう一つのセンサ（図示せず）を用いることで、グラフ３に示すように、蓄光材１３に照射光を再度蓄光させて発光輝度が所定値を超えたとき、グラフ４に示すように、屋外用照明灯具１１を消灯させることができる。
これにより、夜間における屋外用照明灯具１１の点灯時間を短くして、省電力化が図れる。
【００６０】
さらに、第３実施形態の照明ポール４０によれば、第１実施形態の照明ポール１０と同様の効果が得られる。
【００６１】
なお、前記第１〜第３実施形態では、蓄光材１３のシンボル形状を矢印に形成することで避難の方向を示す例について説明したが、これに限らないで、その他の事柄を示すシンボル形状とすることも可能である。
【００６２】
また、前記第１〜第３実施形態では、支柱１２の少なくとも一部１２Ａに蓄光材１３を塗布した例について説明したが、これに限らないで、支柱１２全域に蓄光材１３を塗布することも可能である。
【００６３】
さらに、前記第１〜第３実施形態で例示した屋外用照明灯具１１、支柱１２の形状や寸法は適宜変更が可能である。
【産業上の利用可能性】
【００６４】
本発明は、屋外用照明灯具を支柱で保持する照明ポールへの適用に好適である。
【図面の簡単な説明】
【００６５】
【図１】本発明に係る第１実施形態の照明ポールを示す斜視図である。
【図２】（Ａ）は第１実施形態の照明ポールを示す要部拡大図、（Ｂ）は（Ａ）のＢ部拡大図である。
【図３】（Ａ）は第１実施形態の照明ポールの要部を示す断面図、（Ｂ）は（Ａ）のＣ部拡大図である。
【図４】光源から蓄光材までの距離と蓄光材の膜厚との関係を説明するグラフである。
【図５】本発明に係る第２実施形態の照明ポールを示す側面図である。
【図６】第２実施形態の照明ポールで蓄光材に再度蓄光させる例を説明するグラフである。
【図７】本発明に係る第３実施形態の照明ポールを示す側面図である。
【符号の説明】
【００６６】
１０，３０，４０  照明ポール
１１  屋外用照明灯具
１２  支柱
１２Ａ  支柱の少なくとも一部
１３  蓄光材
１３Ａ  蓄光材の表面
２４  複数回積層
２４  最上層
２６  保護層
３３  タイマー
４２  センサ
Ｔ  膜厚
【図１】
2008226770.tif 000003
【図２】
2008226770.tif 000004
【図３】
2008226770.tif 000005
【図４】
2008226770.tif 000006
【図５】
2008226770.tif 000007
【図６】
2008226770.tif 000008
【図７】
2008226770.tif 000009